(57)【特許請求の範囲】
【請求項１】
室外機と、室内機とが通信可能に接続された空気調和機であって、
前記室外機は、圧縮機を含む前記室外機用の複数の電気部品と、前記室外機の入力電流を測定して測定電流値を求める電流検出手段とを備え、前記室内機は、同室内機用の複数の電気部品を備え、
前記空気調和機は、同空気調和機の運転状態に応じて、前記室内機及び前記室外機の前記複数の電気部品で消費される消費電流値を予め記憶した消費電流値テーブルと、
同消費電流値テーブルから前記室内機の運転状態に対応した前記室内機用の前記複数の電気部品の消費電流値を抽出すると共に、抽出した前記室内機用の前記複数の電気部品の消費電流値を合算して前記室内機の推定電流値を求める一方、
前記消費電流値テーブルから前記室外機の運転状態に対応した前記室外機用の前記複数の電気部品の消費電流値を抽出すると共に、抽出した前記室外機用の前記複数の電気部品の消費電流値を合算して前記室外機の推定電流値を求める電流値推測手段と、
前記測定電流値と予め定めた第１閾値との比較結果に対応して前記室外機の推定電流値または前記測定電流値のいずれか一方を選択する消費電流選択手段とを備え、
前記電流値推測手段は前記室内機の推定電流値と前記室外機の推定電流値とを算出し、  前記空気調和機は、前記消費電流選択手段で選択された前記室外機の推定電流値または前記測定電流値と、前記室内機の推定電流値とを加算して前記空気調和機全体の消費電流を求めることを特徴とする空気調和機。
【請求項２】
前記消費電流選択手段は、前記測定電流値と前記第１閾値とを比較した結果、前記測定電流値が第１閾値よりも小さい場合には前記推定電流値を、前記測定電流値が第１閾値よりも大きい場合には前記測定電流値を、それぞれ選択してなることを特徴とする請求項１記載の空気調和機。
【請求項３】
前記消費電流選択手段は、前記測定電流値が、前記第１閾値よりも小さい第２閾値と前記第１閾値よりも大きい第３閾値との間で予め定めた切換領域内の値であるとき、
前記推定電流値と前記測定電流値との値の乖離を示す乖離度を算出し、同乖離度が予め定めた所定値よりも小さい場合には前記測定電流値を、同乖離度が予め定めた所定値よりも大きい場合には前記推定電流値を、それぞれ選択することを特徴とする請求項１記載の空気調和機。
【請求項４】
前記消費電流選択手段は、前記測定電流値が前記第２閾値よりも小さい場合には前記推定電流値を、前記測定電流値が前記第３閾値よりも大きい場合には前記測定電流値をそれぞれ選択することを特徴とする請求項３記載の空気調和機。
【発明の詳細な説明】
【技術分野】
【０００１】
本発明は、空気調和機に係わり、より詳細には、正確な消費電流を求める測定手段や算出手段に関する。
【背景技術】
【０００２】
従来、空気調和機において消費電流を求める構成としては、図６に示すものが開示されている。
この空気調和機は、設定された空気調和機の最高使用消費電力値を記憶する記憶保持装置９と、凝縮温度と蒸発温度から圧縮機１の消費電力値を演算する演算手段１０と、圧縮機１以外の電気部品の消費電力値を記憶する記憶保持装置１１と、演算手段１０から得られる消費電力値と記憶された圧縮機１以外の電気部品の消費電力値から空気調和機の消費電力値の総和を演算する演算手段１２と、最高使用消費電力値と演算手段１２の消費電力値を比較して圧縮機１の出力を制御する制御手段とを備えている。
【０００３】
この空気調和機は、凝縮温度と蒸発温度から圧縮機１の消費電力値を演算して求め、さらにこの求めた消費電力値に、圧縮機以外の電気部品で消費される電流を基にして予め算出しておいた固定の消費電力値を加算して空気調和機全体の消費電力を求める構成になっている（例えば、特許文献１参照。）。
【０００４】
また、消費電力を計算のみでなく電流検出素子、例えばカレントトランスを用いて測定した室外機の入力電流を用いて算出する構成を備えた空気調和機が開示されている（例えば、特許文献２参照。）。この空気調和機では算出した消費電力から電気料金を算出し、この電気料金を操作者に表示するようになっている。
【０００５】
また、低価格の空気調和機では、比較的高価なカレントトランスを用いないで、圧縮機の電流を測定するシャント抵抗を用いる方式もある。このようなカレントトランスやシャント抵抗で測定した電流値は、空気調和機の消費電流を一定値以下で運転する制限電流機能や、圧縮機の過電流を検出するために用いられている。このため、一般的に１０アンペア以上の領域を測定するように設計されている。
【０００６】
以上説明したように消費電力を求めるため、主に電力を消費すると共に、運転状態により変化の激しい圧縮機の電流と、それ以外の電気部品で消費される固定の電流値とを加算する方法と、直接、カレントトランスで室外機の消費電流を測定する方法とがある。
【０００７】
しかしながら、圧縮機以外の電気部品での消費電力を固定とする方法では、冷房運転や暖房運転で切り換えられる四方弁、室外機用のファンモータの回転数で左右されるファンモータ消費電流、室外機を停止して室内機のファンモータのみを回転させる送風運転など、細かい運転状況による消費電流の変化に対応していない。
【０００８】
また、室外機に備えられたカレントトランスやシャント抵抗を用いる方法では、室内機の消費電流を考慮していないため、実際の消費電流よりも少なく検出してしまう。さらに、これらの方式では前述のように比較的大電流の測定を前提として設計されているため、比較的小さな電流の測定では誤差が大きいという問題がある。
【０００９】
内部の処理だけに消費電流の値を用いるのなら、この誤差はさほどの問題でないが、近年はユーザーの省エネ意識を向上させるため消費電流を基に消費電力を算出し、これを電気料金として表示させる機能を備えた空気調和機が販売されている。この場合、比較的消費電流が小さい運転、例えば送風運転や空調負荷が小さい場合の運転、さらに圧縮機の予熱運転などが長時間続いた場合、消費電力の累積誤差が大きくなり、ユーザーに正確な電気料金を通知することができなくなってしまう場合があった。
【００１０】
正確な消費電流を測定するためには、室内機と室外機との共通の電源ラインに消費電流計を設置すればよいが、このような測定機器は一般的に、空気調和機にとっては高価であり、コストの観点から採用することができなかった。
【先行技術文献】
【特許文献】
【００１１】
【特許文献１】特開平５−１３３５９０号公報（第３−４頁、図１）
【特許文献２】特開２０００−１４７０２９号公報（第３−４頁、図１）
【発明の概要】
【発明が解決しようとする課題】
【００１２】
本発明は以上述べた問題点を解決し、一般的に空気調和機に備えられているカレントトランスやシャント抵抗による消費電流測定回路を用いて、安価に、また、正確な消費電流を算出する構成を備えた空気調和機を提供することを目的とする。
【課題を解決するための手段】
【００１３】
本発明は上述の課題を解決するため、室外機と、室内機とが通信可能に接続された空気調和機であって、
前記室外機は、圧縮機を含む前記室外機用の複数の電気部品と、前記室外機の入力電流を測定して測定電流値を求める電流検出手段とを備え、前記室内機は、同室内機用の複数の電気部品を備え、
前記空気調和機は、同空気調和機の運転状態に応じて、前記室内機及び前記室外機の前記複数の電気部品で消費される消費電流値を予め記憶した消費電流値テーブルと、
同消費電流値テーブルから前記室内機の運転状態に対応した前記室内機用の前記複数の電気部品の消費電流値を抽出すると共に、抽出した前記室内機用の前記複数の電気部品の消費電流値を合算して前記室内機の推定電流値を求める一方、
前記消費電流値テーブルから前記室外機の運転状態に対応した前記室外機用の前記複数の電気部品の消費電流値を抽出すると共に、抽出した前記室外機用の前記複数の電気部品の消費電流値を合算して前記室外機の推定電流値を求める電流値推測手段と、
前記測定電流値と予め定めた第１閾値との比較結果に対応して前記室外機の推定電流値または前記測定電流値のいずれか一方を選択する消費電流選択手段とを備え、
前記電流値推測手段は前記室内機の推定電流値と前記室外機の推定電流値とを算出し、  前記空気調和機は、前記消費電流選択手段で選択された前記室外機の推定電流値または前記測定電流値と、前記室内機の推定電流値とを加算して前記空気調和機全体の消費電流を求めることを特徴とする。
【００１４】
前記消費電流選択手段は、前記測定電流値と前記第１閾値とを比較した結果、前記測定電流値が第１閾値よりも小さい場合には前記推定電流値を、前記測定電流値が第１閾値よりも大きい場合には前記測定電流値を、それぞれ選択してなることを特徴とする。
【００１５】
前記消費電流選択手段は、前記測定電流値が、前記第１閾値よりも小さい第２閾値と前記第１閾値よりも大きい第３閾値との間で予め定めた切換領域内の値であるとき、
前記推定電流値と前記測定電流値との値の乖離を示す乖離度を算出し、同乖離度が予め定めた所定値よりも小さい場合には前記測定電流値を、同乖離度が予め定めた所定値よりも大きい場合には前記推定電流値を、それぞれ選択することを特徴とする。
【００１６】
前記消費電流選択手段は、前記測定電流値が前記第２閾値よりも小さい場合には前記推定電流値を、前記測定電流値が前記第３閾値よりも大きい場合には前記測定電流値をそれぞれ選択することを特徴とする。
【発明の効果】
【００１７】
以上の手段を用いることにより、本発明による空気調和機によれば、
請求項１に係わる発明は、実際に測定した測定電流値、もしくは、予め試験により求めた部品毎の電流値を組み合わせて推測した推定電流値とを、電流検出手段における測定結果の大小に対応して選択的に用いるため、空気調和機全体の消費電流における測定値の誤差を低減させることができる。
【００１８】
請求項２に係わる発明は、比較的消費電流が大きい場合には、精度がよい測定電流値を使用し、比較的消費電流が小さい場合には、精度がよい推定電流値を使用するので、消費電流の大小に係わらず精度のよい消費電流を求めることができる。
【００１９】
請求項３に係わる発明は、測定電流値と推定電流値とでいずれの電流値が正確か不明な切換領域において、実測した電流値と推定した電流値とが一定以上乖離した場合に、推定した電流値を選択するようにしたので、測定電流値の誤差が大きい場合でも空気調和機全体の消費電流における測定値の誤差を低減させることができる。
【００２０】
請求項４に係わる発明は、切換領域より大きい場合の消費電流は測定電流値を、また、切換領域より小さい場合の消費電流は推定電流値を、それぞれ選択して精度が高い方式で求めるため、消費電流の大小に係わらず精度のよい消費電流を求めることができる。
【図面の簡単な説明】
【００２１】
【図１】本発明による空気調和機の実施例を示す要部ブロック図である。
【図２】本発明による空気調和機に使用される電流検出回路の特性を説明するグラフである。
【図３】本発明による消費電流の求め方を説明する説明図である。
【図４】本発明による予測消費電流を予め規定した説明図である。
【図５】本発明による空気調和機の動作を説明するフローチャートである。
【図６】従来の空気調和機を示す要部ブロック図である。
【発明を実施するための形態】
【００２２】
以下、本発明の実施の形態を、添付図面に基づいた実施例として詳細に説明する。
【実施例１】
【００２３】
図１は空気調和機を示す制御ブロックである。この空気調和機は室内機１と室外機１０とで構成され、これらは電源線で接続されている。なお、熱交換器や冷媒回路などの本願と直接関係ない構成の図示を省略している。
【００２４】
室内機１は、図示しないリモコンの赤外線信号を受信するリモコン受信部２と、室内機電源部３と、室外機１０への電源供給をオン／オフする電源供給リレー４と、室内機ファンモータ７と、電源線を介して室外機１０とデータの送受信を行なう室内機通信部５と、電気料金を表示する表示部６と、室内機ファンモータ７と電源供給リレー４とリモコン受信部２と室内機通信部５と表示部６とを制御する室内機制御部８とを備えている。
【００２５】
一方、室外機１０は、室外機電源部１３と、室外機電源部１３の消費電流、つまり室外機１０の入力電流を測定する電流検出手段である電流検出部１４と、圧縮機モータ１７を駆動する圧縮機駆動部１６と、電源線を介して室内機とデータの送受信を行なう室外機通信部１５と、冷媒の循環方向を切り換える四方弁１９と、室外機ファンモータ２０と、電流検出部１４と圧縮機駆動部１６と室外機通信部１５と、四方弁１９と、室外機ファンモータ２０とを制御する室外機制御部１８とを備えている。
【００２６】
また、電流検出部１４は、室外機電源部１３へ供給される電流を検出して電圧に変換するカレントトランス１４ａと、変換された電圧を整流するダイオード１４ｂと、整流された電圧を平滑するコンデンサ１４ｃなどで構成されている。そして平滑された電圧（室外機１０の消費電流と対応）は室外機制御部１８に出力され、室外機制御部１８内部の図示しないＡ／Ｄコンバータで電流値に変換される。なお、リップル電圧を低減させるフィルタ回路などは図示を省略している。
【００２７】
また、圧縮機駆動部１６は、室外機電源部１３から供給される直流電圧を入力し、室外機制御部１８の制御により圧縮機モータ１７を三相駆動するインバータ部１６ａと、インバータ部１６ａへの入力電流（消費電流）を電圧に変換するシャント抵抗１６ｂとを備えている。そしてこの変換された消費電流に対応する電圧は、室外機制御部１８に出力され、室外機制御部１８内部の図示しないＡ／Ｄコンバータで電流値に変換される。これらの電流値は、背景技術で説明したように電流制限機能や過電流検出機能で用いられると共に、本願による消費電流の算出にも用いられる。
【００２８】
室内機電源部３は電源プラグに電源が供給されると、室内機１の各部へ電源を供給し、リモコン受信部２を介してリモコンから制御信号、例えば電源オンの信号が室内機制御部８へ伝えられると、同室内機制御部８は電源供給リレー４をオンした後、室内機通信部５を介して室外機制御部１８に運転指示を与える。室外機制御部１８は、与えられた指示に従って圧縮機駆動部１６を制御し、指定された運転を行なう。なお、このとき、室外機電源部１３へ供給される電流を電流検出部１４を介して室外機制御部１８で監視しており、予め規定された制限電流の範囲内で圧縮機の運転を行なうようになっている。
【００２９】
図２は本実施例で用いられる電流検出部１４の特性を説明するグラフであり、横軸は時間を、縦軸は電流（電流と対応する電圧）を示しており、０〜２０Ａ（アンペア）を測定するようになっている。そして、この電圧を前述したようにＡ／Ｄコンバータで電流値に変換する。室外機制御部１８に備えられている低価格のマイコンは、一般的に分解能が８ビット、つまり、２０Ａを２５６段階で検出するようになっており、約０．１Ａの測定単位となる。
【００３０】
また、前述したように電流検出部１４は平滑用のコンデンサ１４ｃを備えており、電流値と対応する電圧にはリップル電圧が含まれている。このリップル電圧は消費電流が大きい場合は相対的に比率が小さく、消費電流が小さい場合は相対的に比率が大きく、つまり誤差が大きくなる。従って、消費電流が小さい場合は約０．１Ａの測定単位であっても誤差が大きくなり、正確な測定ができなくなってしまう。また、電流検出部１４は室外機１０の消費電流のみを測定しているため、消費電流が小さい場合は、相対的に消費電流の割合が大きい室内機１の消費電流が無視されるため、正確な測定ができなくなってしまう。
【００３１】
また、シャント抵抗１６ｂを用いた方式では、カレントトランス１４ａを用いた方式のようにリップル電圧を考慮する必要がないが、測定精度を高めるためにシャント抵抗１６ｂの値を大きくすれば、この抵抗による電力損失が大きくなり、電力損失を低減させるためにはシャント抵抗１６ｂの抵抗値を小さくしなければならず、このため、測定誤差が大きくなる。背景技術で説明したように電流検出回路は１０Ａ以上の測定を前提として設計されているため、大電流の時と低電流の時でも検出精度自体は同じであっても、消費電流が小さい場合は測定した電流値に対する測定誤差の比率が高くなる。これはカレントトランス１４ａを用いた方式も同じである。つまり、カレントトランス１４ａを用いた方式でも、シャント抵抗１６ｂを用いた方式であっても、消費電流が小さい場合は誤差が大きいという問題を抱えている。
【００３２】
そこで本願は、電流検出部１４の測定精度が高い、つまり消費電流が大きい場合は実際に測定した電流検出部１４での電流値を用いて消費電流を算出し、電流検出部１４の測定精度が低い、つまり消費電流が小さい場合は実際に測定した電流検出部１４での電流値に代えて、予め空気調和機の動作により個別に求めた予測値を用いて消費電流を算出することを特徴としている。
【００３３】
図４は予め定められた電流値を示す表であり、実験的に求められた値である。図４の要素毎の予想消費電流の表は、室内機制御部８内の図示しない記憶部に消費電流値テーブルとして記憶されており、室内機１や室外機１０で消費される電流値のデータを各ブロックや部品毎に規定してテーブル化したものである。例えば、室内機のみが稼働しており、室内ファンが停止している場合を『室内機基本状態』とし、この時、室内機１では０．５Ａを消費するとしている。
【００３４】
また、『室内ファン回転』の場合は、０．２Ａ消費すると規定している。同様に、室外機１０で『室外機基本状態』、つまり、室外機１０に電源が供給されているが、圧縮機モータ１７も四方弁１９も室外機ファンモータ２０も停止している場合を０．５Ａと規定している。また、『圧縮機最小運転』、つまり、最低の回転数で回転している場合は１．０Ａ、『予熱処理』は０．３Ａ、『四方弁』の動作は０．２Ａ、室外機ファンの回転は、回転数が増すにつれて０．１Ａ〜０．３Ａと規定している。
【００３５】
図４の運転状態毎の予測消費電流の表は、図４の要素毎の予想消費電流の表に基づいて、空気調和機の運転状態毎に駆動されるブロックや部品の消費電流を算出したものである。この消費電流を算出により推測する手段が電流値推測手段である。電流値推測手段では、室内機制御部８や室外機制御部１８が自身で各ブロックや部品を制御することを利用して、この制御を実行した時、同時に各ブロックや部品の予想電流値を加算して、空気調和機の各状態における消費電流を逐次、推測するようになっている。
【００３６】
例えば『空気調和機の運転停止状態』であれば、図４の要素毎の予想消費電流の表の番号１であるため、予想電流０．５Ａが予測値となる。『送風運転のみ』の場合は図４の要素毎の予想消費電流の表の番号１の値に、要素毎の予想消費電流の表の番号２の『室内ファン回転』の予想電流値である０．２Ａを加算して合計０．７Ａとなる。このように、空気調和機の各運転状態に対応して予測値（予測電流値）を求めることができる。なお、図４の運転状態毎の予測消費電流の表は一例であり、これ以外の場合も事前に規定しておく。もしくは、制御する都度に算出してもよい。
【００３７】
図３は電流検出部１４で測定した電流値と、推測による電流値とを切り換えるタイミングを説明する説明図である。横軸は時間、縦軸は消費電流（カレントトランス１４ａの整流電圧）であり、空気調和機の消費電流が徐々に増加する例を示している。
【００３８】
図３において、実線の曲線が電流検出部１４で測定した測定電流値であり、点線の細い線が実際の電流値であり、階段状の実線が図４で説明した消費電流の推定値、つまり、推定電流値である。そして、矢印で示す電流切換点が測定電流値と推定電流値とを切り換えるタイミング点である。この測定電流値と推定電流値とを切り換える機能を室外機制御部１４に備えられた消費電流選択手段で行っている。
【００３９】
消費電流選択手段において、基本的には測定電流値が第１閾値、例えば３．０Ａ以上なら測定電流値を採用し、測定電流値が第１閾値、例えば３．０Ａ未満なら推定電流値を採用するだけでよい。これにより、消費電流が小さい時には実測値に代えて予測値を用いるので検出する消費電流値の誤差を低減させることができる。
【００４０】
本実施例では消費電流選択手段において、測定電流値と推定電流値とでいずれの電流値がより正確か不明な切換領域を予め規定しており、この切換領域内で測定電流値と推定電流値とを切り換えるようにしている。なお、切換領域は第１閾値よりも小さい第２閾値と、第１閾値よりも大きい第３閾値とで範囲が規定されている。
【００４１】
これは電流検出部１４で測定した測定電流値の精度が、消費電流が小さいほど低くなるため、この精度の低い電流値を基にして測定電流値と推定電流値とを切り換えると、誤差が大きくなる可能性があるからである。本実施例では切換領域の間は、電流検出部１４で測定した測定電流値と推定電流値とを比較し、その電流差が推定値に対して所定の割合、例えば２０％以上乖離していたら、推定値電流を用いるようにしている。なお、切換領域の下限の電流値、つまり、第２閾値よりも測定電流値が低くなったら、強制的に推定電流値を選択するようにしている。
【００４２】
具体的には図３において、消費電流値が第３閾値：４．０Ａ〜第２閾値：２．０Ａの間を切換領域として規定する。この切換領域内において、推定電流値：１．９Ａで、測定電流値：２．６Ａの状態になった場合、推定電流値と測定電流値の電流差は０．７Ａとなり、推定電流値に対する電流差の割合、つまり、乖離度が３７％となる。この値は予め規定していた閾値の２０％を越えるため、測定電流値から推定電流値に切り換える。この切換タイミングが電流値切換点である。
【００４３】
なお、乖離度は測定電流値と推定電流値との乖離度合いを示せばよいので、測定電流値と推定電流値との比率や、測定電流値に対する電流差の割合などを用いてもよい。また、切換領域は実験的に求めた誤差の分布などから予め決定しておく。なお、リップル電圧のリップル成分を除去するため、処理に手間が掛かるが、リップル電圧を周期的に取り込んで記憶し、平均化したものを用いてもよい。ただし、図２で説明したように、測定電流値は、値が小さい時ほど誤差の割合が大きくなるので、平均化した電流値を用いる場合でも乖離度を監視して電流値を選択する必要がある。
【００４４】
図１に示すように室外機制御部１８は室外機１０での測定電流値または推定電流値を選択して求め、この電流値を室外機通信部１５を介して室内機制御部８へ送信する。室内機１では実際に電流を測定する回路がないため、室内機制御部８は、図４で示した予測消費電流値を算出し、この値に室外機１０の消費電流値を加算して空気調和機全体の消費電流を求める。そして、この消費電流値に電圧を乗じて消費電力を求め、この消費電力を累積して消費電力量を算出し、これに所定の単位電力料金を乗じて電気料金を算出し、これを表示部６へ表示する。
【００４５】
以上説明したように、実際に測定した測定電流値、もしくは、予め試験により求めた部品毎の電流値を組み合わせて推測した推定電流値とを、電流検出手段における測定結果の大小に対応して選択的に用いるため、空気調和機全体の消費電流における測定値の誤差を低減させることができる。
【００４６】
また、比較的消費電流が大きい場合には、精度がよい測定電流値を使用し、比較的消費電流が小さい場合には、精度がよい推定電流値を使用するので、消費電流の大小に係わらず精度のよい消費電流を求めることができる。
【００４７】
また、測定電流値と推定電流値とでいずれの電流値が正確か不明な切換領域において、実測した電流値と推定した電流値が一定以上乖離した場合に、推定した電流値を選択するようにしたので、測定電流値の誤差が大きい場合でも空気調和機全体の消費電流における測定値の誤差を低減させることができる。
さらに、切換領域より大きい場合の消費電流は測定電流値を、また、切換領域より小さい場合の消費電流は推定電流値を、それぞれ選択して精度が高い方式で求めるため、消費電流の大小に係わらず精度のよい消費電流を求めることができる。
【００４８】
次に、空気調和機の電気料金を求めて表示する処理を図５に示す室内機の処理と室外機の処理とのフローチャートを用いて説明する。図５に記載のＳＴはステップを表し、これに続く数字はステップ番号を、また、ＹはＹｅｓを、ＮはＮｏをそれぞれ表している。なお、室内機の処理フローは室内機制御部８、室外機の処理フローは室外機制御部１８のそれぞれの動作ステップを示している。
【００４９】
図５（１）室内機の処理について説明する。室内機制御部８は動作を開始すると、まず、リモコン信号を受信したか確認する（ＳＴ１）。リモコン信号を受信した場合は（ＳＴ１−Ｙ）、このリモコン信号によって指示された運転、例えば冷暖房、温度設定、風量設定などの処理を行う。また、この処理に対応して室外機１０へ運転指示を送信する。（ＳＴ２）。
【００５０】
次に室内機１の推定電流を算出する（ＳＴ３）。これは図４で説明したように、動作しているユニットや部品などの動作状態に対応して消費電流を推測する処理である。次に室外機１０から、室外機１０の消費電流値のデータを受信する（ＳＴ４）。
【００５１】
そして、室内機１の推定電流値と室外機１０の消費電流値とを加算して空気調和機全体の消費電流を算出し、これに定格電圧を乗じて電力値を算出する。そして、これを積算して消費電力量を求め、さらに、この消費電力量に電気料金の単位金額を乗じて電気料金に換算する（ＳＴ５）。なお、積算された電力量はユーザーの操作によりクリアされるようになっている。
【００５２】
次に、算出した電気料金を表示部６に表示し（ＳＴ６）、ＳＴ１へジャンプする。
一方、リモコン信号を受信していない場合は（ＳＴ１−Ｎ）、電気料金を算出するためにＳＴ３へジャンプする。
【００５３】
次に、図５（２）室外機の処理について説明する。室外機制御部１８は動作を開始すると、まず、室内機１からの運転指示を受信したか確認する（ＳＴ１１）。室内機１からの運転指示を受信した場合（ＳＴ１１−Ｙ）、運転指示に対応した制御、例えば圧縮機の運転開始や冷暖房の切換、予熱処理や除霜運転などを実施する（ＳＴ１２）。
【００５４】
次に室外機１０の推定電流を算出する（ＳＴ１３）。これは図４で説明したように、動作しているユニットや部品などの動作状態に対応して消費電流を推測する処理である。次に電流検出部１４を介して室外機１０の消費電流（測定電流値）を測定する（ＳＴ１４）。
【００５５】
なお、図３で説明したように測定した消費電流値について、第３閾値：４．０Ａ〜第２閾値：２．０Ａの間を切換領域として規定しているので、この切換領域内の値か確認するため、次に、この測定電流値が２アンペアより小さいか確認する（ＳＴ１５）。測定電流値が２アンペア以上の場合（ＳＴ１５−Ｎ）、測定電流値が４アンペアより大きいか確認する（ＳＴ１６）。測定電流値が４アンペア以下の場合（ＳＴ１６−Ｎ）、室外機１０の推定電流値と測定電流値との差を求め、これを推定電流値で除算して乖離度を求める（ＳＴ１７）。
【００５６】
次に乖離度が２０％よりも大きいか確認する（ＳＴ１８）。乖離度が２０％以下の場合（ＳＴ１８−Ｎ）、測定電流値を室外機１０の消費電流値とする（ＳＴ１９）。次にこの室外機１０の消費電流値のデータを室内機１へ送信する（ＳＴ２０）。そしてＳＴ１１へジャンプする。
【００５７】
一方、室内機１からの運転指示を受信していない場合（ＳＴ１１−Ｎ）、ＳＴ１３へジャンプする。また、測定電流値が２アンペアより小さい場合（ＳＴ１５−Ｙ）、推定電流値を室外機１０の消費電流値とする（ＳＴ２１）。そしてＳＴ２０へジャンプする。また、測定電流値が４アンペアより大きい場合（ＳＴ１６−Ｙ）、ＳＴ１９へジャンプする。また、乖離度が２０％より大きい場合（ＳＴ１８−Ｙ）、ＳＴ２１へジャンプする。
【００５８】
なお、室内機制御部８と室外機制御部１８は図示しないマイコンを内蔵しており、図５の各フローチャートの各ステップと対応するプログラムを各マイコンが実行することで前述した各手段の機能が実現されている。
【００５９】
具体的にはステップ３やステップ１３が電流値推測手段で実行されるステップを示しており、ステップ１４が電流検出手段を、また、ステップ１５〜１９とステップ２１とが消費電流選択手段で実行されるステップをそれぞれ示している。
このようにして算出された消費電力、電気料金は室内機１の表示部６に表示され、ユーザーが確認できるようになっている。なお、赤外線式リモコンに代替した無線リモコンに消費電力や電気料金を表示するような構成にしてもよい。
【実施例２】
【００６０】
次に本発明による別の実施例を説明する。この実施例では比較的安価な空気調和機を想定しており、室外機１０に備えられている電流検出部１４が省略された構成となっている。この電流検出部１４の代替として、圧縮機駆動部１６内の電流検出手段からなるシャント抵抗１６ｂで検出した圧縮機モータ１７の駆動電流である圧縮機測定電流値を用いる。
【００６１】
室外機１０における消費電流の大部分は圧縮機モータ１７の駆動に係わるものであるため、圧縮機モータ１７の圧縮機測定電流値に、室外機１０における圧縮機モータ１７以外の部品で消費する推定電流値を合算して室外機１０の消費電流である合成電流値を求める。この推定電流値の考え方は図４で説明したように各部品やユニットの制御状態により所定の回路の消費電流を予測するものである。
【００６２】
ただし、圧縮機モータ１７の消費電流が少ない場合、前述したようにシャント抵抗１６ｂの値によっては電流値の相対的な誤差が大きくなる。このため、本実施例では実施例１で説明した消費電流選択手段を備えている。この消費電流選択手段では、シャント抵抗１６ｂで測定した電流値が閾値、例えば４アンペア以下の時は圧縮機測定電流値に代替して、圧縮機モータ１７の消費電流値の推定電流値を用い、この推定電流値と圧縮機モータ１７以外の部品で消費する推定電流値とを加算して室外機１０全体の消費電流値を算出するように切り換えている。
【００６３】
そして、このように切り換えた測定電流値と推定電流値を加算した値、もしくは、推定電流値を室外機１０の消費電流値として室内機１へ送信する。これ以降の室内機１の処理は実施例１と同じであるため説明を省略する。
【００６４】
以上説明したように、入力電流の測定に代替して圧縮機モータ１７の駆動電流を測定する空気調和機において、実際に測定した電流値、もしくは、予め試験により求めた部品毎の電流値を組み合わせて推測した推定電流値とを、電流検出手段における測定結果の大小に対応して選択的に用いるため、空気調和機全体の消費電流における測定値の誤差を低減させることができる。
【００６５】
なお、各実施例において、室内機１と室外機１０とが通信可能となっており、各電流値データを通信で送受信できるため、電流値推測手段や消費電流選択手段、合計電流を求める加算処理などは、本実施例に限るものでなく、室内機１と室外機１０とのいずれかで実施すればよい。
【符号の説明】
【００６６】
１  室内機
２  リモコン受信部
３  室内機電源部
４  電源供給リレー
５  室内機通信部
６  表示部
７  室内機ファンモータ
８  室内機制御部
１０  室外機
１３  室外機電源部
１４  電流検出部
１４ａ  カレントトランス
１４ｂ  ダイオード
１４ｃ  コンデンサ
１５  室外機通信部
１６  圧縮機駆動部
１６ａ  インバータ部
１６ｂ  シャント抵抗
１７  圧縮機モータ
１８  室外機制御部
１９  四方弁
２０  室外機ファンモータ
【図１】
0005482490.tif 000002
【図２】
0005482490.tif 000003
【図３】
0005482490.tif 000004
【図４】
0005482490.tif 000005
【図５】
0005482490.tif 000006
【図６】
0005482490.tif 000007